(57)【特許請求の範囲】
【請求項１】
台所の流し台などの水栓取付板部に開設した貫通穴に水栓本体の下部に設けた水栓取付足を挿通した状態で水栓取付足を座金およびロックナットにこの順に嵌込みながらロックナットを水栓取付足の外周面に形成したねじ部に締付けることにより水栓本体を水栓取付板部上に固定する水栓取付け機構において、
前記水栓取付足は、当該水栓取付足の高さ方向にわたり、かつ、周方向に所定幅を有する状態で前記外周面をカットして前記ねじ部に設けたカット部分を有する一方、前記座金は、水栓取付足を当該座金に嵌込んだときに前記ねじ部に設けた前記カット部分に当接するよう当該座金の水栓取付足嵌込み穴の周縁を一部下方側へ折り曲げてなる垂下片を有し、更に、前記ロックナットは、当該ロックナットの上方開口側に前記垂下片が嵌込み可能で、かつ、前記カット部分から前記垂下片が離れる方向に変位するのを阻止しうるリング状の溝を有する一方、
前記垂下片は、前記水栓取付足嵌込み穴の径方向内側に突出した状態に形成された円弧状の内周面を有することを特徴とする水栓取付け機構。
【請求項２】
前記座金は、当該座金の上面に、締付け時に水栓取付板部の下面部分に食い込み、それによって、締付け後において前記ロックナットが緩む方向に水栓本体が回動するのを阻止しうる突起を有する請求項１に記載の水栓取付け機構。
【発明の詳細な説明】
【０００１】
【発明の属する技術分野】
この発明は、例えば台所の流し台などの水栓取付板部に水栓を取付ける水栓取付け機構に関するものである。
【０００２】
【従来の技術および発明が解決しようとする課題】
図４に示すように、例えば台所の流し台のシンク背面側に位置する水栓取付板部（以下、単に面板という）７９に上面７９ａおよび下面７９ｂ間を貫く一つの貫通穴８０を設け、この貫通穴８０を介して、湯水の混合比の調整および止水を含む吐水量の調整を行うレバー８９と、前記上面７９ａに沿う形で所定角度だけ回動する混合湯水の吐水管８１とを備えたワンホール混合栓８２の本体８３を面板７９上に取付けるにあたり、例えば座パッキン８４を装着した混合栓取付足８５をパッキン８６、座金８７およびロックナット８８にこの順に嵌込みながらロックナット８８を、混合栓取付足８５の外周面に形成したねじ部ｍに締付けるようにしていたことから、ロックナット８８の締付けトルクが緩い場合やロックナット８８が緩む方向の回動力が吐水管８１の先端に加わった場合、ロックナット８８が緩んでワンホール混合栓８２の面板７９への固定が不十分になる。
【０００３】
この発明は、水栓を面板上に固定するためのロックナットの緩みを安価な材料を用いて確実に防止できる水栓取付け機構を提供することを目的とする。
【０００４】
【課題を解決するための手段】
上記目的を達成するために、この発明は、台所の流し台などの水栓取付板部に開設した貫通穴に水栓本体の下部に設けた水栓取付足を挿通した状態で水栓取付足を座金およびロックナットにこの順に嵌込みながらロックナットを水栓取付足の外周面に形成したねじ部に締付けることにより水栓本体を水栓取付板部上に固定する水栓取付け機構において、
前記水栓取付足は、当該水栓取付足の高さ方向にわたり、かつ、周方向に所定幅を有する状態で前記外周面をカットして前記ねじ部に設けたカット部分を有する一方、前記座金は、水栓取付足を当該座金に嵌込んだときに前記ねじ部に設けた前記カット部分に当接するよう当該座金の水栓取付足嵌込み穴の周縁Ｎを一部下方側へ折り曲げてなる垂下片を有し、更に、前記ロックナットは、当該ロックナットの上方開口側に前記垂下片が嵌込み可能で、かつ、前記カット部分から前記垂下片が離れる方向に変位するのを阻止しうるリング状の溝を有する一方、
前記垂下片は、前記水栓取付足嵌込み穴の径方向内側に突出した状態に形成された円弧状の内周面を有することを特徴としている。
この発明では、前記座金は、当該座金の上面に、締付け時に水栓取付板部の下面部分に食い込み、それによって、締付け後において前記ロックナットが緩む方向に水栓本体が回動するのを阻止しうる突起を有するのが好ましい。
【０００５】
【発明の実施の形態】
以下にこの発明の実施の形態について説明する。なお、この発明はそれによって限定されるものではない。
【０００６】
図１〜図３において、１は水栓の一例のワンホール湯水混合栓で、弁体機構（図示せず）を収容してある混合栓本体２と、弁体機構の上流端に連通する湯および水の供給管３，４と、弁体機構の弁体（図示せず）を開閉して湯水の混合比と止水を含む吐水量を調節するレバー５と、弁体機構の下流端に連通する混合水供給管６と、この供給管６連通する混合湯水の吐水管７とを備えてなる。
【０００７】
８は、例えば台所の流し台のシンク背面側に位置する水栓取付板部（以下、単に面板という）で、この上面８ａおよび下面８ｂ間を貫く一つの貫通穴９を有し、この貫通穴９を介して混合栓本体２を面板８上に取付けてある。
【０００８】
この実施形態では、前記吐水管７が前記上面８ａに沿う形で所定角度だけ混合栓本体２に対して回動する構成を採用している。
【０００９】
以下この発明の特徴的構成について説明する。
【００１０】
１０は、供給管３，４，６が挿通可能な大きさの開口を有し、混合栓本体２の下部２ａから長さＬを有して下方に連設されている筒状の水栓取付足で、外周面Ｍに形成されたねじ部１１に一対のカット部分１２，１２を有する。各カット部分１２は、水栓取付足１０の高さ方向（Ａ方向）の全域にわたり、かつ、水栓取付足１０の周方向（Ｂ方向）に所定幅Ｄを有する状態で前記外周面Ｍをカットして形成されている。この実施形態では、各カット部分１２は、円弧状のカット面ｆを有する。また、カット部分１２，１２同士は、円周角で１８０°離れて位置する。
【００１１】
１３は、水栓取付足嵌込み穴１４を有するリング状の座金で、前記貫通穴９に水栓取付足１０を挿通した状態でねじ部１１に嵌込まれる。この座金１３は、水栓取付足１０を当該座金１３に嵌込んだときに前記ねじ部１１に設けた前記カット部分１２に当接するよう前記嵌込み穴１４の周縁Ｎを一部下方側へ折り曲げてなる一対の垂下片１５，１５を有する。この実施形態では、前記カット部分１２の円弧状のカット面ｆに合わせて各垂下片１５もカット面ｆの全面が当接可能な形状である円弧状の内周面ｇを有する。また、垂下片１５，１５同士は、カット部分１２，１２の位置に対応するよう円周角で１８０°離れて位置する。
【００１２】
１６は、前記貫通穴９に挿通された水栓取付足１０に座金１３を嵌込んだ後に水栓取付足１０に嵌込まれてねじ部１１に螺合するねじ部１７を下部内周面に有するロックナットである。このロックナット１６は、当該ロックナット１６の上方開口１８側に前記垂下片１５が嵌込み可能に設けられ、それによって、前記カット部分１２から前記垂下片１５が座金１３の径方向外側に拡がるのを阻止しうるリング状の内周溝１９を有する。この内周溝１９は、ロックナット１６の上部内周面側に形成され、ねじ部１７の径より大きな径を有する。
【００１３】
更に、前記座金１３は、当該座金１３の上面１３ａに、締付け時に面板８の下面部分に食い込み、それによって、締付け後においてロックナット１６が緩む方向に混合栓本体２および水栓取付足１０が一体的に回動するのを阻止しうる複数個の突起２０を有する。各突起２０は、図１〜図３に示すように、できるだけ座金１３の外周縁Ｈに沿う形で設けるのが好ましい。その方が回動を阻止するトルクが大きいからである。
【００１４】
而して、貫通穴９に水栓取付足１０を挿通した状態で水栓取付足１０を座金１３およびロックナット１６にこの順に嵌込みながらロックナット１６を水栓取付足１０の外周面Ｍに形成したねじ部１１に締付けることにより混合栓本体２を面板８上に固定する。
【００１５】
ところで、ロックナット１６が緩む方向の回動力が吐水管７の先端に加わった場合、複数個の突起２０によって、前記緩む方向に混合栓本体２および水栓取付足１０が一体的に回動するのが阻止できる。
【００１６】
更に、前記カット部分１２に当接する前記垂下片１５は、座金１３の嵌込み穴１４の周縁Ｎを下方側へ折り曲げて形成されているので、折り曲げて形成されないで前記カット部分１２に当接させた場合に比して加工硬化をうることができ、強度的に強くできる。しかも、水栓取付足１０が前記緩む方向に回動するときの力が、たとえカット部分１２を介して前記垂下片１５に伝わっても、前記力により前記垂下片１５が座金１３の径方向外側に拡がるのをリング状の内周溝１９によって阻止できるので、前記緩む方向に混合栓本体２および水栓取付足１０が一体的に回動するのを確実に阻止できる。
【００１７】
そして、少なくとも前記座金１３を強度的に弱い安価な材料を用いて形成しても、加工硬化を施した垂下片１５、垂下片１５の外側への拡がりを阻止する内周溝１９、垂下片１５が当接するカット部分１２を形成するという特徴的構成を採用しているので、前記緩む方向に混合栓本体２および水栓取付足１０が一体的に回動するのを阻止する点において、わざわざ強度的に強い高価な材料で座金を形成する必要はなくなり、コスト削減につながる。また、高価な材料を用いると金型が高くなる上に、垂下片を形成するための折り曲げ加工に時間がかかり、作業性の点でもこの発明は有利である。
【００１８】
なお、カット部分１２、垂下片１５の数は２個に限らずその都度適宜の数に設定できる。また、カット部分１２と垂下片１５の当接面は平面でもよい。
【００１９】
【発明の効果】
以上説明したようにこの発明によれば、水栓を面板上に固定するためのロックナットの緩みを安価な材料を用いて確実に防止できる水栓取付け機構を提供することができる効果がある。
【図面の簡単な説明】
【図１】  この発明の一実施形態を示す分解斜視図である。
【図２】  （Ａ）は、上記実施形態を示す縦断面図である。
（Ｂ）は、図２（Ａ）におけるａ−ａ線矢視図である。
【図３】  （Ａ）は、上記実施形態における座金およびロックナットをそれぞれ示す縦断面図である。
（Ｂ）は、図３（Ａ）におけるＢ−Ｂ線矢視図である。
（Ｃ）は、図３（Ａ）におけるＣ−Ｃ線矢視図である。
【図４】  従来の水栓取付手順を示す分解斜視図である。
【符号の説明】
１…ワンホール湯水混合栓、２…混合栓本体、８…水栓取付板部、９…貫通穴、１０…水栓取付足、１１…ねじ部、１２…カット部分、１３…座金、１４…水栓取付足嵌込み穴、１５…垂下片、１６…ロックナット、１９…溝、２０…突起、Ｎ…周縁、ｇ…円弧状の内周面。
【図１】
0004493878.tif 000002
【図２】
0004493878.tif 000003
【図３】
0004493878.tif 000004
【図４】
0004493878.tif 000005